(57)【特許請求の範囲】
【請求項１】
室内機と室外機とを有し、前記室外機に水供給手段と前記水供給手段から供給される水から過熱水蒸気を生成する過熱水蒸気発生手段を設け、発生した過熱水蒸気を前記室外機と前記室内機を連通する搬送手段によって、室内へ過熱水蒸気あるいは飽和水蒸気状態で搬送し、前記室内機に設けられた蒸気放出口より放出することで、室内空気を加湿する空気調和機であって、前記過熱水蒸気発生手段は室外機の仕切板で仕切られた圧縮機室に配置し、かつ、室外機の熱交換器の下部に当該熱交換器に発生する結露水を前記過熱水蒸気発生手段に供給する水受皿を設け、この水受皿の少なくとも一部に前記水受皿よりも底面が低い凹部を設けた空気調和機。
【請求項２】
搬送手段には送風手段を設けないことを特徴とする請求項１記載の空気調和機。
【請求項３】
過熱水蒸気発生手段は水供給手段によって供給された水を加熱し気化させることで水蒸気を生成する気化用ヒータと、前記水蒸気を加熱することで過熱水蒸気を生成する過熱用ヒータとで構成したことを特徴とする請求項１または２記載の空気調和機。
【請求項４】
過熱用ヒータは水蒸気の流れ方向から見て気化用ヒータの下流側に設けられていることを特徴とする請求項３記載の空気調和機。
【請求項５】
過熱用ヒータは気化用ヒータに対し鉛直方向上側に設けられていることを特徴とする請求項３あるいは４記載の空気調和機。
【請求項６】
水供給手段から供給された水を貯留する貯留槽に気化用ヒータの発熱部が貯留水に水没するように設けられていることを特徴とする請求項３〜５に記載の空気調和機。
【請求項７】
水供給手段から供給された水を貯留する貯留槽の底部に気化用ヒータの発熱部が設けられていることを特徴とする請求項３〜５に記載の空気調和機。
【請求項８】
貯留槽の貯留水に気化筒を気化筒の下部の蒸気回収口が水没するように設けたことを特徴とする請求項６あるいは請求項７のいずれか一項に記載の空気調和機。
【請求項９】
気化筒は、下部に蒸気回収口、上部に蒸気流出口を設けたことを特徴とする請求項８に記載の空気調和機。
【請求項１０】
搬送手段は室外機と室内機を連通する流通路で構成され、過熱用ヒータは前記流通路よりも大きい断面積を有する過熱筒に設けられていることを特徴する請求項３〜９に記載の空気調和機。
【請求項１１】
流通路および過熱筒および気化筒の少なくとも一部を発泡材料で覆うように構成した請求項１〜１０記載の空気調和機。
【請求項１２】
流通路および過熱筒および気化筒の少なくとも一部をリブ部を有する中空構造で構成した請求項１〜１０記載の空気調和機。
【請求項１３】
流通路に過熱用ヒータを設けたことを特徴とする請求項１〜１２記載の空気調和機。
【発明の詳細な説明】
【技術分野】
【０００１】
本発明は、室外の空気中に含まれる水分を室内空気に供給することで、給水不要な加湿機能を有する空気調和機に関するものである。
【背景技術】
【０００２】
従来、この種の空気調和機は、室外機に二つの流通路にまたがって円筒形の吸着材を有する加湿装置が設けられ、一方の流通路の送風装置が作動すると室外空気が加湿装置内に吸入され、空気流が吸着材の一部を通過するとき空気流中の水分は吸着材に吸着され、乾燥空気として室外に排気される。また、他方の流通路の空気流はヒータで加熱され吸着材の一部分を通過して、吸着材を加熱する。吸着材は回転しているため吸着材の水分を含んだ部分は加熱され水分が蒸発し加湿空気として室内に送られるように構成されている（例えば、特許文献１参照）。
【０００３】
図１１は、特許文献１に記載された従来の空気調和機の加湿装置を示すものである。図１１に示すように、室外空気を加湿する流通路１０８と、室外空気から水分を補給する流通路１０７とを備え、二つの流通路にまたがって配設された吸着材１０１と、吸着材１０１を回転させる駆動ベルト１０２と駆動モータ１０３と、それぞれの流通路に送風装置１０４，１０５と、流通路１０７に吸着材１０１の水分を脱着させるために加熱するヒータ１０６とから構成されている。
【特許文献１】特許第３５５９４２１号公報
【発明の開示】
【発明が解決しようとする課題】
【０００４】
しかしながら、前記従来の構成では、室内に送られる水分は湿り空気として搬送されるため、本来室内空気の加湿に寄与しない空気を水分とともに搬送しているので、必要な加湿量を確保するためには、多くの体積流量の湿り空気を搬送することが必要となり、その結果、室内へ水分供給するための流通路の断面積を大きくしないと、送風装置の出力や騒
音が大きくなってしまうというという課題を有していた。
【０００５】
本発明は、前記従来の課題を解決するもので、室内へ水分供給するための流通路の断面積が小さくても十分な加湿量を確保することを可能とした給水不要な加湿機能を有する空気調和機を提供することを目的とする。
【課題を解決するための手段】
【０００６】
前記従来の課題を解決するために、本発明の空気調和機は、室内機と室外機とを有し、前記室外機に水供給手段と前記水供給手段から供給される水から過熱水蒸気を生成する過熱水蒸気発生手段を設け、発生した過熱水蒸気を前記室外機と前記室内機を連通する搬送手段によって、室内へ過熱水蒸気あるいは飽和水蒸気状態で搬送し、前記室内機に設けた蒸気放出口より放出することで、室内空気を加湿する空気調和機であって、前記過熱水蒸気発生手段は室外機の仕切板で仕切られた圧縮機室に配置し、かつ、室外機の熱交換器の下部に当該熱交換器に発生する結露水を前記過熱水蒸気発生手段に供給する水受皿を設け、この水受皿の少なくとも一部に前記水受皿よりも底面が低い凹部を設けたものである。
【０００７】
これによって、室内に送られる水分は空気などをほとんど含まない過熱水蒸気あるいは飽和水蒸気状態で搬送されるため、前記従来の構成のように、本来室内空気の加湿に寄与しない空気を水分とともに搬送することはないので、必要な加湿量を確保するために流通路を通過する体積流量は少なく、室内へ水分供給するための流通路の断面積を小さくでき、また、断面積が小さくても、流通路抵抗増加による送風装置の出力上昇や騒音上昇が発生することはない。さらに水供給手段は室外機の熱交換器の結露水を利用するものであり、室外の空気中に含まれる水分を取り込み、室内に供給することにより、給水不要な加湿機能を有する空気調和機を実現することができる。さらに、水受皿の少なくとも一部に前記水受皿よりも底面が低い凹部を設けることにより、熱交換器の結露水に含まれる塵埃などを凹部に堆積させることにより、貯留槽や気化ヒータ部への塵埃の侵入を防止し、信頼性の向上を図ることができる。加えて過熱水蒸気発生手段は室外機の仕切板で仕切られた圧縮機室に設けることにより、過熱水蒸気発生手段が砂、塵埃などによって汚染されることを防止するとともに、圧縮機室は内部に気流の発生が無いため、過熱水蒸気発生手段からの放熱を低減することで、過熱水蒸気状態での安定した搬送が可能となる。
【発明の効果】
【０００８】
本発明の空気調和機は、室内へ水分供給するための流通路の断面積が小さくても必要な加湿量を確保できるため、細いダクト配管とすることが可能となり、室内機と室外機の間のダクト配管の設置工事がしやすく、かつ設置後の配管の美観が優れたものとすることができる。また、室外の空気中に含まれる水分を取り込み、室内に供給するので給水不要となり、かつ、熱交換器の結露水に含まれる塵埃などを凹部に堆積させることにより、過熱水蒸気発生手段への塵埃の侵入を防止できて信頼性が向上し、加えて過熱水蒸気発生手段が砂、塵埃などによって汚染されることを防止しつつ過熱水蒸気発生手段からの放熱を低減することで、過熱水蒸気状態での安定した搬送が可能となる。
【発明を実施するための最良の形態】
【０００９】
第１の発明は、室内機と室外機とを有し、前記室外機に水供給手段と前記水供給手段から供給される水から過熱水蒸気を生成する過熱水蒸気発生手段を設け、発生した過熱水蒸気を前記室外機と前記室内機を連通する搬送手段によって、室内へ過熱水蒸気あるいは飽和水蒸気状態で搬送し、前記室内機に設けられた蒸気放出口より放出する空気調和機であって、前記過熱水蒸気発生手段は室外機の仕切板で仕切られた圧縮機室に配置し、かつ、室外機の熱交換器の下部に当該熱交換器に発生する結露水を前記過熱水蒸気発生手段に供給する水受皿を設け、この水受皿の少なくとも一部に前記水受皿よりも底面が低い凹部を設けた構成としたものであり、室内に送られる水分は空気などをほとんど含まない過熱水
蒸気あるいは飽和水蒸気状態で搬送されるため、必要な加湿量を確保するために流通路を通過する体積流量は少なく、室内へ水分供給するための流通路の断面積が小さくても、流通路抵抗増加による送風装置の出力上昇や騒音上昇が発生することはないので、流通路の断面積を低減することが可能となり、流通路を細いダクト配管とすることで、室内機と室外機の間のダクト配管の設置工事がしやすく、かつ設置後の配管の美観が優れた空気調和機を実現することができる。さらに水供給手段は室外機の熱交換器の結露水を利用するものであり、室外の空気中に含まれる水分を取り込み、室内に供給することにより、給水不要な加湿機能を有する空気調和機を実現することができる。さらに、水受皿の少なくとも一部に前記水受皿よりも底面が低い凹部を設けることにより、熱交換器の結露水に含まれる塵埃などを凹部に堆積させることにより、貯留槽や気化ヒータ部への塵埃の侵入を防止し、信頼性の向上を図ることができる。加えて過熱水蒸気発生手段は室外機の仕切板で仕切られた圧縮機室に設けることにより、過熱水蒸気発生手段が砂、塵埃などによって汚染されることを防止するとともに、圧縮機室は内部に気流の発生が無いため、過熱水蒸気発生手段からの放熱を低減することで、過熱水蒸気状態での安定した搬送が可能となる。
【００１０】
第２の発明は、特に、第１の発明の空気調和機において、搬送手段に送風手段を設けないもので、水蒸気の発生圧力により加熱水蒸気を搬送することにより、構成が簡単になり、コストの低減を可能とすることができる。
【００１１】
第３の発明は、特に、第１または第２の発明の空気調和機において、過熱水蒸気発生手段を水供給手段によって供給された水を加熱し気化させることで水蒸気を生成する気化用ヒータと前記水蒸気を加熱することで過熱水蒸気を生成する過熱用ヒータで構成することにより、水を気化させ、さらに過熱水蒸気を生成することが可能となり、気体での水分搬送を行うことができる。
【００１２】
第４の発明は、特に、第３の発明の空気調和機において、過熱用ヒータは水蒸気の流れ方向から見て気化用ヒータの下流側に設けることにより、水供給手段によって供給された水を加熱し気化させることで水蒸気を生成する気化用ヒータで水蒸気を生成し、さらにこれを過熱用ヒータで熱を与え、過熱水蒸気を効率よく生成することで、気体での水分搬送を行うことができる。
【００１３】
第５の発明は、特に、第３または第４の発明の空気調和機において、過熱用ヒータは気化用ヒータに対し鉛直方向上側に設けることにより水供給手段によって過剰な水が供給された場合でも、過熱用ヒータが水没することは回避できるので、過熱用ヒータの防水構成を不要とすることができる。
【００１４】
第６の発明は、特に、第３〜５のいずれか１つの発明の空気調和機において、水供給手段から供給された水を貯留する貯留槽に気化用ヒータの発熱部が貯留水に水没するように設けることにより、気化用ヒータから供給される熱が無駄なく貯留水に伝えられることになり、エネルギ的に無駄の無い、効率的な気化を実現することができる。
【００１５】
第７の発明は、特に、第３〜５のいずれか１つの発明の空気調和機において、水供給手段から供給された水を貯留する貯留槽の底部に気化用ヒータの発熱部を設けることにより、気化用ヒータから供給される熱が貯留水の対流による攪拌作用により、効率的に伝えられることになり、エネルギ的に無駄の無い、効率的な気化を実現することができる。
【００１６】
第８の発明は、特に、第６または第７の発明の空気調和機において、貯留槽の貯留水に気化筒を気化筒の下部の蒸気回収口が水没するように設けることにより、気化用ヒータで生成した水蒸気をほとんど空気を含まない状態で回収することが可能となり、室内空気の加湿に寄与しない空気の混入を防止することができる。
【００１７】
第９の発明は、特に、第８の発明の空気調和機において、気化筒の下部に蒸気回収口、上部に蒸気流出口を設けることにより、気化用ヒータで生成した水蒸気が気化筒内面での冷却のため、結露した場合でも、結露水を再度貯留槽に回収することが可能となり、水供給手段から供給された水を有効に室内空気の加湿に供することができる。
【００１８】
第１０の発明は、特に、第３〜９のいずれか１つの発明の空気調和機において、搬送手段は室外機と室内機を連通する流通路で構成され、過熱用ヒータは流通路よりも大きい断面積を有する過熱筒に設けることにより、過熱筒内の蒸気の流速は流通路よりも遅くなることで、水蒸気に十分な熱を伝えることが可能となり、高温の過熱水蒸気生成により搬送中に流通路内で結露が発生しない効率的な水分搬送ができる。
【００１９】
第１１の発明は、特に、第１〜１０のいずれか１つの発明の空気調和機において、流通路および過熱筒および気化筒の少なくとも一部を発泡材料で覆うことにより、壁面の断熱性が向上し、過熱水蒸気搬送中に温度低下による結露が発生しない効率的な水分搬送ができる。
【００２０】
第１２の発明は、特に、第１〜１０のいずれか１つの発明の空気調和機において、流通路および過熱筒および気化筒の少なくとも一部をリブ部を有する中空構造で構成することにより、壁面の断熱性が向上し、過熱水蒸気搬送中に温度低下による結露が発生しない効率的な水分搬送ができる。
【００２１】
第１３の発明は、特に、第１〜１２のいずれか１つの発明の空気調和機において、流通路に過熱用ヒータを設けることにより、搬送中の過熱水蒸気にさらに熱を伝えることにより、過熱度の高い過熱水蒸気を生成することで、過熱水蒸気搬送中に温度低下による結露が発生しない効率的な水分搬送ができる。
【００２２】
以下、本発明の実施の形態について、図面を参照しながら説明する。なお、この実施の形態によって本発明が限定されるものではない。
【００２３】
（実施の形態１）
図１から図７は、本発明の第１の実施の形態における空気調和機の構成図を示すものである。
【００２４】
図１において、室外１に設置された室外機３には空調用の熱交換器５、熱交換送風機６が設けられている。また、室外機３には水搬送路７ａを介して接続されている貯留槽８ａと貯留槽８ｂが設けられている。貯留槽８ｂ上部には気化筒９が設けられ、気化筒９の上部には過熱筒１０を備えている。また、気化筒９と過熱筒１０および室内２に設置された室内機４は各々流通路１１ａ，１１ｂにて連通されている。さらに、気化筒９内には気化用ヒータ１２が設けられ、過熱筒１０内には過熱用ヒータ１３を備えている。また、気化用ヒータ１２および過熱用ヒータ１３は各々ヒータ電源１２ａ、１３に接続されている。
【００２５】
以上のように構成された空気調和機についてその動作、作用を説明する。まず、使用者によって貯留槽８ａに供給された液体の水１５は水搬送路７を介して接続されている貯留槽８ｂに供給される。ここで、貯留槽８ｂに設置されているフロートスイッチ１６によって、貯留槽８ｂの水位が気化筒９の下部の蒸気回収口２２および気化用ヒータの発熱部が水没するように二方弁１７にて調整することで水供給手段とする。気化筒の下部の蒸気回収口が水没するように設けることにより、気化用ヒータで生成した水蒸気をほとんど空気を含まない状態で回収することが可能となり、室内空気の加湿に寄与しない空気の混入を防止することができる。また、気化用ヒータの発熱部が貯留水に水没するように設けるこ
とにより、気化用ヒータから供給される熱が無駄なく貯留水に伝えられることになり、エネルギ的に無駄の無い、効率的な気化を実現することができる。
【００２６】
さらに、貯留槽８ｂに貯留された水１５は気化用ヒータ１２にて加熱され、たとえば１気圧においては１００℃の温度の飽和水蒸気１８となり、気化筒９よって回収され、気化筒９の上部の蒸気流出口２３から流通路１１ａを介して過熱筒１０に搬送される。飽和水蒸気１８は、過熱筒１０内で過熱用ヒータ１３の熱を吸収することで、たとえば１気圧においては１００℃を超える温度の過熱水蒸気１９となることで過熱水蒸気発生手段とする。さらに、搬送手段である流通路１１ｂを介して室内機４に設置された蒸気放出口２０から放出される。この際、蒸気放出口２０から放出される直前の水蒸気が過熱水蒸気（たとえば１気圧においては１００℃を超える温度の水蒸気）となるように過熱用ヒータ１３の発熱量を設定することで、流通路１１ｂ内で結露が発生することなく、かつ水蒸気の発生圧力で水蒸気流れ２１を発生させることで過熱水蒸気状態で水分の搬送を送風手段不要で効率的に行うことができる。
【００２７】
また、本実施の形態では蒸気放出口２０から飽和水蒸気（たとえば１気圧においては１００℃）になるように過熱用ヒータ１３の発熱量を設定することでも、流通路１１ｂ内で結露が発生することなく、かつ送風機不要で水蒸気流れ２１を発生させることで過熱水蒸気状態で水分の搬送を効率的に行うことができる。
【００２８】
さらに、流通路１１ｂに過熱用ヒータ１４およびヒータ電源１４ａを設けることによって、過熱水蒸気１９の温度を再上昇させることが可能となり、蒸気放出口２０から放出される直前の水蒸気が過熱水蒸気（たとえば１気圧においては１００℃を超える温度の水蒸気）とするのに必要な過熱用ヒータ１３の必要発熱量を低減することができるとともに、過熱用ヒータ１３出口における過熱水蒸気１９の温度を低減しても流通路１１ｂ内で結露が発生することなく、過熱水蒸気状態で水分の搬送を効率的に行うことができる。
【００２９】
ここで、貯留槽８ａは室外１に設置されているので、寸法が大きくなってもあまり不具合はないので、容量の大きい貯留槽８ａを設置することで、ほとんど給水の必要は発生しなくて済むようにできる。また、貯留槽８ａは建屋の雨水などを集めて貯留しても良い。また、図１での本実施の形態の気化用ヒータ１２は貯留槽８ｂ内に貯留された水１５に水没するように設置しているが、貯留槽８ｂの低部に気化用ヒータ１２を設置しても良い。
【００３０】
また、気化用ヒータの発熱部が貯留水に水没するように設けることにより、気化用ヒータから供給される熱が無駄なく貯留水に伝えられることになり、エネルギ的に無駄の無い、効率的な気化を実現することができる。
【００３１】
また、本実施の形態の水供給手段を図２に示すように、水道管などの給水管２４と二方弁１７を直結することで構成することにより、給水不要となり、使用者が水を供給することなく、室内２の加湿をすることができる。
【００３２】
また、本実施の形態の水供給手段を図３に示すように、熱交換器５と水受皿２５で構成することにより、空気調和機の暖房運転中は熱交換器５が蒸発器として機能しているため、熱交換器５の空気側に発生する結露水を水受皿２５を用いて貯留槽８ｂに凝縮水を水１５として回収することができ、これにより、室内２の空気の乾燥が問題となる暖房運転時の無給水での加湿ができる。
【００３３】
また、熱交換器５と水受皿２５と水受皿２５の一部に凹部２６を構成することにより、凹部２６で水１５に含まれる異物を沈殿させることで、貯留槽８ｂへの砂、塵埃といった異物の侵入が防止できる。
【００３４】
また、図４は水蒸気搬送ファン２７を気化筒９に設置した例を示す。本実施の形態の搬送手段である気化筒９、過熱筒１０あるいは流通路１１ａ，１１ｂのいずれかに水蒸気搬送ファン２７を設置することで、過熱水蒸気１９の流量が多く、気化筒９、過熱筒１０および流通路１１ａ，１１ｂの圧力損失が大きい場合でも、気化筒９内の水１５の水面低下が防止でき、安定的な動作が可能となる。
【００３５】
また、本実施の形態を図５に示すように、気化筒９に空気ファン２８と空気二方弁２９を設けることで、加湿運転終了後に空気二方弁２９を開とし空気ファン２８によって室外１あるいは室内２に抜気することで気化筒９、過熱筒１０および流通路１１ａ，１１ｂあるいは過熱用ヒータ１３へ結露が発生することが防止でき、その結果、内部のカビなどの繁殖防止ができる。
【００３６】
また、図６に示すように、図３に示す貯留槽８ｂと気化筒９を一体とし、貯留槽８ｃと貯留槽８ｃに水１５を導入するための水搬送路７ａを設けることで、室外機３の振動による外部への水１５の飛び出しを防止することができる。
【００３７】
図７は本実施の形態の室外機３の斜視図である。図７において、室外機３には空調用の熱交換器５、図示しない熱交換送風機６および水受皿２５が設けられている。また、実際には、図示しない室外機の外箱が底板３１上に設置されて室外機３を構成している。以上のように構成することにより、空気調和機の暖房運転中は熱交換器５は蒸発器として機能しているため、熱交換器５の空気側に発生する結露水を水受皿２５を用いて貯留槽８ｂに凝縮水を水１５として回収することができ、これにより室内２の空気の乾燥が問題となる暖房運転時の無給水での加湿ができる。
【００３８】
また、過熱用ヒータ１３を気化用ヒータ１２に対し鉛直方向上側に設けることで、水供給手段によって過剰な水が供給された場合でも、過熱用ヒータ１３が水没することは回避できるので、過熱用ヒータ１３の防水構成を不要とすることができる。
【００３９】
さらに、過熱用ヒータ１３が設けられている過熱筒１０の断面積を流通路１１ａ，１１ｂの断面積よりも大きくすることで、過熱筒１０内の蒸気の流速が流通路１１ａ，１１ｂよりも遅くなることで、飽和水蒸気１８に十分な熱を伝えることが可能となり、高温の過熱水蒸気１９の生成により搬送中に流通路内で結露が発生しない効率的な水分搬送ができる。
【００４０】
さらに、図８は本実施の形態の室外機３の斜視図であり、過熱水蒸気発生手段である貯留槽８ｂ、気化筒９、過熱筒１０、気化用ヒータ１２、過熱用ヒータ１３、流通路１１ａは仕切板３２で仕切られた室外機３の空調用の圧縮機３０が設置された方の空間に設けられている。これによって、過熱水蒸気発生手段が砂、塵埃などによって汚染されることを防止するとともに、圧縮機３０が設置された方の空間は内部に気流の発生はほとんど無いため、過熱水蒸気発生手段からの放熱を低減することで、過熱水蒸気状態での安定した搬送が可能となる。
【００４１】
また、本実施の形態の気化筒９、過熱筒１０および流通路１１ａ，１１ｂの少なくとも一部を発泡材料で構成することにより、気化筒９、過熱筒１０および流通路１１ａ，１１ｂ内を流れる飽和水蒸気１８および過熱水蒸気１９からの熱漏洩を防止することができ、蒸気放出口２０から放出される直前の水蒸気が過熱水蒸気（たとえば１気圧においては１００℃を超える温度の水蒸気）とするのに必要な過熱用ヒータ１３の必要発熱量を低減することができるとともに、過熱用ヒータ１３出口における過熱水蒸気１９の温度を低減しても流通路１１ｂ内で結露が発生することなく、過熱水蒸気状態で水分の搬送を効率的に
行うことができる。図９は流通路１１ａ，１１ｂの断面図であり、パイプ３３の周囲を発泡材料３４で覆う構成となっている。気化筒９、過熱筒１０についても同様に発泡材料で覆うことで、同様の効果が得られる。
【００４２】
また、図１０も流通路１１ａ，１１ｂの断面図であり、パイプ３３の周囲にリブ３５、その周囲に外郭３６を設け、中空部３７を構成することで、熱漏洩を防止することができ、蒸気放出口２０から放出される直前の水蒸気が過熱水蒸気（たとえば１気圧においては１００℃を超える温度の水蒸気）とするのに必要な過熱用ヒータ１３の必要発熱量を低減することができるとともに、過熱用ヒータ１３出口過における過熱水蒸気１９の温度を低減すること可能となる。
【００４３】
以上、本実施の形態として説明したように、室外機３に水供給手段と水供給手段から供給される水１５から過熱水蒸気を生成する過熱水蒸気発生手段を設け、発生した過熱水蒸気を室外機３と室内機４を連通する搬送手段によって、室内２へ過熱水蒸気あるいは飽和水蒸気状態で搬送し、室内機４に設けられた蒸気放出口２０より放出することで室内空気を加湿することにより、室内２に送られる水分は空気などをほとんど含まない過熱水蒸気あるいは飽和水蒸気状態で搬送されるため、必要な加湿量を確保するために流通路１１ａ，１１ｂを通過する体積流量は少なく、室内２へ水分供給するための流通路１１ａ，１１ｂの断面積が小さくても、流通路抵抗増加による送風装置の出力上昇や騒音上昇が発生することはないので、流通路１１ａ，１１ｂの断面積を低減することが可能となり、流通路１１ａ，１１ｂを細いダクト配管とすることで、室内機４と室外機３の間のダクト配管の設置工事がしやすく、かつ設置後の配管の美観が優れた空気調和機を実現することができる。
【産業上の利用可能性】
【００４４】
以上のように、本発明にかかる空気調和機は、室内へ水分供給するための流通路の断面積が小さくても十分な加湿量を確保しつつ、給水不要な加湿機能を提供することができるものであり、空気の乾燥が問題となる暖房運転時の無給水加湿を、室内機と室外機の間の細いダクト配管で実現するもので、空気調和機全般に広く適用できる。
【図面の簡単な説明】
【００４５】
【図１】本発明の実施の形態における空気調和機の構成図
【図２】本発明の実施の形態における空気調和機の構成図
【図３】本発明の実施の形態における空気調和機の構成図
【図４】本発明の実施の形態における空気調和機の構成図
【図５】本発明の実施の形態における空気調和機の構成図
【図６】本発明の実施の形態における空気調和機の構成図
【図７】本発明の実施の形態における空気調和機の室外機の斜視図
【図８】本発明の実施の形態における空気調和機の室外機の斜視図
【図９】本発明の実施の形態における空気調和機の流通路の断面図
【図１０】本発明の実施の形態における空気調和機の流通路の断面図
【図１１】従来の空気調和機の加湿装置の構成図
【符号の説明】
【００４６】
１  室外
２  室内
３  室外機
４  室内機
５  熱交換器
６  熱交換送風機
７，７ａ  水搬送路
８ａ、８ｂ、８ｃ  貯留槽
９  気化筒
１０  過熱筒
１１ａ、１１ｂ  流通路
１２  気化用ヒータ
１２ａ  ヒータ電源
１３  過熱用ヒータ
１３  ヒータ電源
１４  過熱用ヒータ
１４ａ  ヒータ電源
１５  水
１６  フロートスイッチ
１７  二方弁
１８  飽和水蒸気
１９  過熱水蒸気
２０  蒸気放出口
２１  蒸気流れ
２２  蒸気回収口
２３  蒸気流出口
２４  給水管
２５  水受皿
２６  凹部
２７  水蒸気搬送ファン
２８  空気ファン
２９  空気二方弁
３０  圧縮機
３１  底板
３２  仕切板
３３  パイプ
３４  発泡材料
３５  リブ
３６  外郭
３７  中空部
【図１】
0004983456.tif 000002
【図２】
0004983456.tif 000003
【図３】
0004983456.tif 000004
【図４】
0004983456.tif 000005
【図５】
0004983456.tif 000006
【図６】
0004983456.tif 000007
【図７】
0004983456.tif 000008
【図８】
0004983456.tif 000009
【図９】
0004983456.tif 000010
【図１０】
0004983456.tif 000011
【図１１】
0004983456.tif 000012